(57)【特許請求の範囲】
【請求項１】
操作信号を出力するリモコン装置と、
前記操作信号に基づいてモーターを駆動して日射遮蔽材を駆動する電動日射遮蔽装置とを備えた電動日射遮蔽装置の遠隔操作装置において、
前記リモコン装置には、
前記電動日射遮蔽装置の複数種類の動作設定を変更するための設定変更データを格納した記憶手段と、
前記設定変更データを前記電動日射遮蔽装置に送信する第一の送受信手段と
を備え、
前記電動日射遮蔽装置には、
前記リモコン装置から送信された設定変更データに基づいて設定変更を行う設定変更手段と、
前記設定変更データを受信して前記設定変更手段に出力するとともに、前記設定変更手段による変更内容を前記リモコン装置に送信する第二の送受信手段と
を備え、
前記第一及び第二の送受信手段には、互いのアドレスを認識して通信状態を確保するペアリング手段を備え、前記第一の送受信手段には、ペアリングされた前記第二の送受信手段を順次選択する第一の選択手段と、複数種類の前記設定変更データからいずれかの設定変更データを選択して、前記第一の選択手段で選択された前記第二の送受信手段に送信する第二の選択手段とを備えたことを特徴とする電動日射遮蔽装置の遠隔操作装置。
【請求項２】
前記リモコン装置には、前記第二の送受信手段に送信する設定変更データを表示するとともに、前記第二の送受信手段から送信される変更内容を表示する表示機を備えたことを特徴とする請求項１記載の電動日射遮蔽装置の遠隔操作装置。
【請求項３】
前記リモコン装置には、
前記ペアリング手段を動作させるペアリングモードへの移行を選択するペアリングモード選択手段と、
前記第一の送受信手段から第二の送受信手段に設定変更データを送信するとともに、該設定変更データに基づく電動日射遮蔽装置での設定変更内容を前記第二の送受信手段から
前記第一の送受信手段に送信する設定モードへの移行を選択する設定モード選択手段と
を備えたことを特徴とする請求項１又は２記載の電動日射遮蔽装置の遠隔操作装置。
【請求項４】
リモコン装置に設けられた第一の送受信手段と電動日射遮蔽装置に設けられた第二の送受信手段とをペアリングし、前記第一の送受信手段から送信される設定変更データを前記第二の送受信手段で受信して、前記電動日射遮蔽装置の動作設定を変更し、変更された動作設定を前記第二の送受信手段から前記第一の送受信手段に送信し、
前記ペアリングでは、互いのアドレスを認識して通信状態を確保し、
前記第一の送受信手段がペアリングされた前記第二の送受信手段を順次選択し、複数種類の前記設定変更データからいずれかの設定変更データを選択して、選択された前記第二の送受信手段に送信する
ことを特徴とする電動日射遮蔽装置の設定変更方法。
【発明の詳細な説明】
【技術分野】
【０００１】
この発明は、電動横型ブラインド等の電動日射遮蔽装置を遠隔操作する遠隔操作装置に関するものである。
【背景技術】
【０００２】
建物の窓面に沿って多数の電動横型ブラインドを併設したブラインドシステムでは、パソコン等の中央制御装置により、各ブラインドの動作を一括して制御したり、あるいは建物の各フロア毎にリモコン装置を使用して各ブラインドの動作を制御可能としたものがある。
【０００３】
リモコン装置では、あらかじめ任意数のブラインド毎にグループ分けされたブラインド群の動作を一括して制御したり、あるいはグループ分けの変更を行うことにより、例えば単独のブラインドの動作を制御することも可能である。
【０００４】
また、リモコン装置の各種操作に対応する各ブラインドの動作があらかじめ設定され、使用時にはリモコン装置の操作に基づいて各ブラインドがあらかじめ設定された条件で動作する。
【先行技術文献】
【特許文献】
【０００５】
【特許文献１】特許第４４６０３０３号公報
【発明の概要】
【発明が解決しようとする課題】
【０００６】
上記のようなブラインドシステムでは、リモコン装置の操作に基づく各ブラインドの動作の設定を変更するには、リモコン装置だけではできず、ブラインドのヘッドボックスに設けられた設定モード選択スイッチ等を操作した後に設定変更作業を行う必要があった。
【０００７】
従って、天井面の高いフロアでブラインドのヘッドボックス設置位置が床面から大きく離れている場合には、ヘッドボックスの設定モード選択スイッチを操作することが事実上不可能であり、ブラインドの施工時以外は設定変更を施すことができないという問題点がある。
【０００８】
特許文献１には、双方向通信システムでリモコン装置とブラインド等とのペアリングを可能としたホームオートメーションシステムが開示されている。しかし、リモコン装置の操作に基づいて動作するブラインド等の設定を変更する手段は開示されていない。
【０００９】
この発明の目的は、リモコン装置だけの操作で、リモコン装置で制御する各電動日射遮蔽装置の種々の設定変更を可能とした電動日射遮蔽装置の遠隔操作装置を提供することにある。
【課題を解決するための手段】
【００１０】
請求項１では、操作信号を出力するリモコン装置と、前記操作信号に基づいてモーターを駆動して日射遮蔽材を駆動する電動日射遮蔽装置とを備えた電動日射遮蔽装置の遠隔操作装置において、前記リモコン装置には、前記電動日射遮蔽装置の複数種類の動作設定を変更するための設定変更データを格納した記憶手段と、前記設定変更データを前記電動日射遮蔽装置に送信する第一の送受信手段とを備え、前記電動日射遮蔽装置には、前記リモコン装置から送信された設定変更データに基づいて設定変更を行う設定変更手段と、前記設定変更データを受信して前記設定変更手段に出力するとともに、前記設定変更手段による変更内容を前記リモコン装置に送信する第二の送受信手段とを備えた。
【００１１】
また、請求項１では、前記第一及び第二の送受信手段には、互いのアドレスを認識して通信状態を確保するペアリング手段を備え、前記第一の送受信手段には、ペアリングされた前記第二の送受信手段を順次選択する第一の選択手段と、複数種類の前記設定変更データからいずれかの設定変更データを選択して、前記第一の選択手段で選択された前記第二の送受信手段に送信する第二の選択手段とを備えた。
【００１２】
請求項２では、前記リモコン装置には、前記第二の送受信手段に送信する設定変更データを表示するとともに、前記第二の送受信手段から送信される変更内容を表示する表示機を備えた。
【００１３】
請求項３では、前記リモコン装置には、前記ペアリング手段を動作させるペアリングモードへの移行を選択するペアリングモード選択手段と、前記第一の送受信手段から第二の送受信手段に設定変更データを送信するとともに、該設定変更データに基づく電動日射遮蔽装置での設定変更内容を前記第二の送受信手段から前記第一の送受信手段に送信する設定モードへの移行を選択する設定モード選択手段とを備えた。
【００１４】
請求項４では、リモコン装置に設けられた第一の送受信手段と電動日射遮蔽装置に設け
られた第二の送受信手段とをペアリングし、前記第一の送受信手段から送信される設定変更データを前記第二の送受信手段で受信して、前記電動日射遮蔽装置の動作設定を変更し、変更された動作設定を前記第二の送受信手段から前記第一の送受信手段に送信する。前記ペアリングでは、互いのアドレスを認識して通信状態を確保し、前記第一の送受信手段がペアリングされた前記第二の送受信手段を順次選択し、複数種類の前記設定変更データからいずれかの設定変更データを選択して、選択された前記第二の送受信手段に送信する。
【発明の効果】
【００１５】
本発明によれば、リモコン装置だけの操作で、リモコン装置で制御する各電動日射遮蔽装置の種々の設定変更を可能とした電動日射遮蔽装置の遠隔操作装置を提供することができる。
【図面の簡単な説明】
【００１６】
【図１】電動横型ブラインドの遠隔操作装置の電気的構成を示すブロック図である。
【図２】リモコン装置の動作モードを示す説明図である。
【図３】送受信コードの構成を示す説明図である。
【図４】リモコン装置のノーマルモードの動作を示すフローチャートである。
【図５】リモコン装置のペアリングモードの動作を示すフローチャートである。
【図６】リモコン装置の設定モードの動作を示すフローチャートである。
【図７】リモコン装置の設定モードの動作を示すフローチャートである。
【図８】電動横型ブラインドの動作を示すフローチャートである。
【図９】受信ＩＤリストを示す説明図である。
【図１０】ペアリングリストを示す説明図である。
【発明を実施するための形態】
【００１７】
以下、この発明を具体化した電動日射遮蔽装置の遠隔操作装置の一実施形態を図面に従って説明する。図１は、電動ブラインドシステムを構成する多数の電動横型ブラインドのうちの１つの電動横型ブラインドと、リモコン装置の電気的構成を示す。
【００１８】
リモコン装置１は、操作面に複数のボタンスイッチ２ａ〜２ｈと、表示機３が設けられている。表示機３は、例えば液晶表示装置であり、ブラインドのアドレスやノーマルモード、ペアリングモードあるいは設定モードで設定された設定内容等の情報を表示可能である。
【００１９】
前記ボタンスイッチ２ａ〜２ｈの押圧操作に基づいて出力される操作信号はＣＰＵ４に入力され、前記表示機３の表示内容はＣＰＵ４により制御される。
前記ＣＰＵ４は、メモリ５にあらかじめ格納されているプログラムと、前記ボタンスイッチ２ａ〜２ｈから出力される操作信号に基づいて動作する。また、ＣＰＵ４には双方向通信用の送受信モジュール６が接続されている。
【００２０】
電動横型ブラインド７のヘッドボックス内には、メモリ１１にあらかじめ格納されているプログラムと、前記リモコン装置１から出力される操作信号とに基づいて動作するＣＰＵ８が配設されている。
【００２１】
ヘッドボックス内にはスラット（日射遮蔽材）を昇降あるいは角度調節するためのモーター９（電動カーテンの場合は開閉のみ）が配設され、そのモーター９の動作はＣＰＵ８により制御される。また、ＣＰＵ８は送受信モジュール１０及び前記リモコン装置１の送受信モジュール６を介して、リモコン装置１のＣＰＵ８と双方向通信可能となっている。
【００２２】
次に、上記のような構成の遠隔操作装置の作用を説明する。図２に示すように、前記リモコン装置１は、前記各電動横型ブラインドとのペアリングを行うペアリングモードＰＭと、電動横型ブラインドの通常の操作を行うノーマルモードＮＭと、電動横型ブラインドの各種設定を行う設定モードＳＭとのいずれかをあらかじめ設定されたボタンスイッチの操作に基づいて任意に選択可能となっている。設定モードＳＭでは、複数種類の設定処理（例えば設定１〜４）を任意に選択可能となっている。
【００２３】
設定１〜４は、例えばスラットの昇降速度、スラットの回動速度及び方向、スラットの上限停止位置あるいは下限停止位置を操作するボタンスイッチの組み合わせに対する操作内容の設定、例えば２ボタンスイッチ（開／閉）、又は３ボタンスイッチ（開／閉／停止の切り替え設定、電動カーテンの場合は開閉方向の設定）等を行うものである。これらの設定を行うためのテーブルが前記メモリ５にあらかじめ格納されている。
【００２４】
図３は、リモコン装置１のＣＰＵ４と、各電動横型ブラインド７のＣＰＵ８との間で送受信される送受信コードの構成を示す。各送受信コード１２は例えば８バイトで構成され、１バイト目に前記各モードを示すモード符号が格納され、２バイト目に選択操作された前記ボタンスイッチのボタン符号が格納され、３バイト目以降にボタンスイッチの操作に基づいて設定されるデータが格納されている。
【００２５】
図４は、ノーマルモードＮＭ時のリモコン装置１の動作を示す。ノーマルモードＮＭ時には、ＣＰＵ４はボタンスイッチ２ａ〜２ｈの押圧操作を待つ状態となる（ステップ１）。
【００２６】
この状態で、ペアリングモード及び設定モードに移行するトリガーとしてのボタン操作以外の操作が行われると、ステップ４に移行して、ノーマルモードＮＭ時のボタン操作による送受信コード１２を電動横型ブラインド７のＣＰＵ８に送信する。
【００２７】
電動横型ブラインド７では、ノーマルモードＮＭの送受信コード１２の受信に基づいてＣＰＵ４によりモーター９の動作が制御され、スラットが昇降され、あるいは角度調節される。
【００２８】
ボタン操作によりペアリングモードに移行するトリガーが入力されると、図５に示すペアリングモードＰＭの処理に移行する（ステップ２）。また、ボタン操作により設定モードＳＭに移行するトリガーが入力されると、図６に示す設定モードＳＭの処理に移行する（ステップ３）。
【００２９】
図５に示すペアリングモードＰＭに移行すると、ＣＰＵ４は多数の電動横型ブラインド７に対し、相手を特定しないで応答要求を送信する（ステップ１１）。そして、応答要求に対する返答を各電動横型ブラインド７から受信すると、ＣＰＵ４は返答を受信した各電動横型ブラインド７の受信ＩＤリスト１３（図９参照）を作成してメモリ５に格納する（ステップ１２）。
【００３０】
次いで、ＩＤインデックスの初期化を行い、変数Ｉを「１」に初期化する（ステップ１３）。すなわち、まず受信ＩＤリスト１３のＩＤ１に対しペアリング処理を行う状態となる。
【００３１】
次いで、ペアリング処理のためのボタン操作が行われると、ステップ１４〜１６を経てステップ１９に移行し、ボタン操作がＩＤ登録のための操作であることを認識した後、当該変数に対応するＩＤが有効であるか否かを判定する（ステップ２０）。
【００３２】
次いで、変数Ｉが指すＩＤは登録済みであるか否かを判定し（ステップ２１）、登録済みでない場合には、ステップ２３に移行して変数Ｉが指すＩＤを図１０に示すペアリングリスト１４に格納し、ステップ１４に復帰する。
【００３３】
また、ステップ２１で変数Ｉが指すＩＤが登録済みである場合には、ステップ２２に移行して、変数Ｉが指すＩＤ、ここではＩＤ１を削除してステップ１４に復帰する。
次いで、受信ＩＤリスト１３のＩＤ２に対しペアリング処理を行うために、ペアリング対象を変更するボタン操作が行われると、ステップ１４〜１６を経てステップ１７に移行し、変数Ｉに対し「１」を加算し（ステップ１７）、新たな変数Ｉが指すＩＤの電動横型ブラインド７に応答要求動作を送信し（ステップ１８）、ステップ１４に移行する。
【００３４】
次いで、ペアリング処理のためのボタン操作が行われると、ステップ１９に移行し、ボタン操作がＩＤ登録のための操作であることを認識した後、当該変数に対応するＩＤが有効であるか否か、すなわちステップ１８に対応する返答を受信したか否かを判定する（ステップ２０）。
【００３５】
次いで、変数Ｉが指すＩＤは登録済みであるか否かを判定し（ステップ２１）、登録済みでない場合には、ステップ２３に移行して変数Ｉが指すＩＤを図１０に示すペアリングリスト１４に格納し、ステップ１４に復帰する。
【００３６】
このような動作を繰り返して、受信ＩＤリストの各ＩＤに対しペアリング処理が行われ、図９に示すペアリングリスト１４が生成されて、メモリ５に格納される。
また、ボタン操作に基づいて、ペアリングモードＰＭを終了するためのトリガーが入力されると、ステップ１５から図４に示すノーマルモードＮＭの処理に移行する。
【００３７】
ノーマルモードＮＭの処理中において、ステップ３で設定モードのトリガーが入力されると、図６に示す設定モードＳＭの処理に移行する。
設定モードＳＭの処理に移行すると、変数Ｍの初期化を行い、複数種類の設定処理すなわち設定１〜４の中から設定１を選択する（ステップ３１）。次いで、ＩＤインデックスの初期化を行い、変数Ｉを「１」に初期化する（ステップ３２）。すると、まずペアリングリスト１４のＩＤ１に対し設定処理を行う状態となる。
【００３８】
次いで、表示機３に変数Ｍの値を表示し（ステップ３３）、次いで、設定処理のためのボタン操作が行われると、ステップ３４〜３６を経てステップ３９に移行する。そして、変数Ｍの加算入力でない場合にはステップ４１に移行して、変数Ｉが示すＩＤに変数Ｍの設定変更データを電動横型ブラインド７のＣＰＵ８に送信し（ステップ４１）、ステップ３３に復帰する。
【００３９】
次いで、ペアリングリスト１４のＩＤ２に対し設定処理を行うために、ペアリング対象を変更するボタン操作が行われると、ステップ３４〜３６を経てステップ３７に移行し、変数Ｉに対し「１」を加算し、新たな変数Ｉが指すＩＤの電動横型ブラインド７に応答要求動作を送信し（ステップ３８）、ステップ３３に移行する。
【００４０】
ここで、設定１〜４の中から設定２を選択すると、ステップ３４，３５，３６を経てステップ３９に移行して、設定１〜２へのインクリメントを検出し、変数Ｍに「１」を加算してステップ３３に復帰する。
【００４１】
次いで、インクリメントされた変数Ｍの値を表示機３に表示し、ステップ３４〜３６，３９を経て、ステップ４１に移行して、変数Ｉが示すＩＤと変数Ｍの設定内容を電動横型ブラインド７に送信し、ステップ３３に復帰する。
【００４２】
このような動作を繰り返して、ペアリングリスト１４に格納された各ＩＤに対し、変数Ｍで選択された設定処理のためのデータが順次電動横型ブラインド７に送信される。
また、ボタン操作に基づいて、設定モードＳＭを終了するためのトリガーが入力されると、ステップ３５から図４に示すノーマルモードＮＭの処理に移行する。
【００４３】
上記のような設定モードにおいて、割り込み処理により電動横型ブラインド７のＣＰＵ８から受信した変更後の設定値を表示機３に表示することも可能である。図７に示すように、電動横型ブラインド７のＣＰＵ８から設定値の信号を受信すると割り込み処理が発生し（ステップ４５）、受信した設定値が表示機３に所定時間点滅表示され（ステップ４６）、所定時間後に割り込み処理が終了する（ステップ４７）。
【００４４】
図８は、リモコン装置１の操作に基づく各電動横型ブラインド７のＣＰＵ８の動作を示す。
リモコン装置１からボタン操作に基づく送信信号を受信し、ペアリングモードでの応答要求を認識すると（ステップ５１，５２）、ステップ５３に移行して応答要求に対する返答をリモコン装置１に出力するとともに、モーター９を作動させてスラットをわずかに回動させる等の、応答要求受付表示を行い（ステップ５４）、ステップ５１に復帰する。
【００４５】
リモコン装置１からボタン操作に基づく送信信号を受信し、その送信信号がステップ３８の応答動作要求である場合には、ステップ５１，５２からステップ５５を経てステップ５６に移行し、モーター９を作動させてスラットをわずかに回動させる等の、応答要求受付表示を行い（ステップ５６）、ステップ５１に復帰する。
【００４６】
リモコン装置１からボタン操作に基づく送信信号を受信し、その送信信号が設定モードＳＭでの変数Ｍである場合には、ステップ５１，５２からステップ５５，５７を経てステップ５８に移行する。そして、ＣＰＵ８は変数Ｍに対応する設定データを受信して、新たな設定を行う。
【００４７】
次いで、その設定データをメモリ１１に格納するとともに、リモコン装置１に送信して（ステップ５９）、ステップ５１に復帰する。
上記のように構成された電動横型ブラインドの遠隔操作装置では、次に示す効果を得ることができる。
（１）リモコン装置１をペアリングモードで操作することにより、複数台の電動横型ブラインドとリモコン装置１とのペアリングを行うことができる。そして、ペアリングリスト１４をリモコン装置１のメモリ１１に保持することができる。
（２）リモコン装置１を設定モードで操作して電動横型ブラインド７と通信することにより、電動横型ブラインド７の動作設定を変更することができる。従って、電動横型ブラインド７のヘッドボックスの取付位置に関わらず、電動横型ブラインド７の動作設定の変更を容易に行うことができる。
（３）設定モードでは、リモコン装置１の操作により、電動横型ブラインド７の複数種類の設定処理の中から任意の設定処理を選択して、設定内容の変更を行うことができる。
（４）設定モードで、選択された設定処理を表示機３に表示することができる。従って、リモコン装置１の操作者は、設定変更する設定処理の内容を容易に認識することができる。
（５）設定モードで、電動横型ブラインド７で変更された設定内容を表示機３に表示することができる。従って、リモコン装置１の操作者は、変更された設定内容を容易に確認することができる。
（６）リモコン装置１からの応答要求に基づいて、複数の電動横型ブラインド７からそれぞれ送信される応答信号をリモコン装置１で受信することができる。従って、応答信号に基づいて、電動横型ブラインド７を個別に選択して設定変更処理を行うことができる。
【００４８】
上記実施形態は、以下の態様で実施してもよい。
・ペアリングを任意台数の電動横型ブラインドに対し一括して行うようにしたグループ設定テーブルをリモコン装置１に備えることにより、設定モードにおいて、各グループ毎の電動横型ブラインドの設定変更を一括して行うようにしてもよい。
・電動横型ブラインド以外に、リモコン装置を使用して操作する電動ロールブラインド、電動カーテン、電動たくし上げカーテン、電動シャッター、電動縦型ブラインド等の遠隔操作装置として実施することもできる。
【符号の説明】
【００４９】
１…リモコン装置、２ａ〜２ｈ…ペアリングモード選択手段（設定モード選択手段、ボタンスイッチ）、３…表示機、４…第一の送受信手段（ペアリングモード選択手段、設定モード選択手段、ペアリング手段、第一の選択手段、第二の選択手段、ＣＰＵ）、５…記憶手段（メモリ）、６…第一の送受信手段（送受信モジュール）、７…電動日射遮蔽装置（電動横型ブラインド）、８…第二の送受信手段（設定変更手段、ＣＰＵ）、９…モーター、１０…第二の送受信手段（送受信モジュール）、１１…メモリ。
【図１】
0006017174.tif 000002
【図２】
0006017174.tif 000003
【図３】
0006017174.tif 000004
【図４】
0006017174.tif 000005
【図５】
0006017174.tif 000006
【図６】
0006017174.tif 000007
【図７】
0006017174.tif 000008
【図８】
0006017174.tif 000009
【図９】
0006017174.tif 000010
【図１０】
0006017174.tif 000011